(57)【要約】【課題】掲示板サービス用のＷｅｂページのように、サービス提供者自身が、Ｗｅｂページとして情報共有空間を個々に実現する必要がなく、さらには、Ｗｅｂページ間での情報共有空間の連携が可能となる情報共有空間を構築する。【解決手段】同じＷｅｂページにアクセスしているユーザ（ユーザ端末）を一つのユーザグループとするために、グループメンバーであるユーザのプレゼンス情報をアクセスしているＷｅｂページ毎（ＵＲＬ毎）に管理し、これらのプレゼンス情報を基に、情報共有空間を構築するとともに、最適なＷｅｂページとそのメンバーユーザを提案する。【選択図】図２
2009075912.tif 000002
【特許請求の範囲】
【請求項１】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグループ管理することを特徴とする装置。
【請求項２】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグルーピングし、グループメンバーで共有可能な情報空間を構築することを特徴とする装置。
【請求項３】
Ｗｅｂサーバに登録されたＷｅｂページを、ユーザ端末にインストールされたブラウザで閲覧するＷＷＷシステムにおいて、Ｗｅｂページにアクセスしているユーザ端末のプレゼンス情報を、アクセスしているＷｅｂページ毎、ＵＲＬ毎に管理することを特徴とする装置。
【請求項４】
Ｗｅｂサーバに登録されたＷｅｂページを、ユーザ端末にインストールされたブラウザで閲覧するＷＷＷシステムにおいて、同じＷｅｂページにアクセスしているユーザ端末のグループにおいて、グループのメンバーであるユーザ端末の総数を管理することを特徴とする装置。
【請求項５】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介することを特徴とする装置。
【請求項６】
Ｗｅｂサーバに登録されたＷｅｂページを、ユーザ端末にインストールされたブラウザで閲覧するＷＷＷシステムにおいて、事前に友達登録しておいたユーザ端末が閲覧しているＷｅｂページのユーザグループ、ならびに、当該グループのメンバーであるユーザ端末のプレゼンスやメンバー総数を紹介することを特徴とする装置。
【請求項７】
Ｗｅｂサーバに登録されたＷｅｂページを、ユーザ端末にインストールされたブラウザで閲覧するＷＷＷシステムにおいて、Ｗｅｂサーバ毎に構築された情報共有空間、ならびに、Ｗｅｂサーバ毎に管理されているユーザグループ情報やプレゼンス情報を、異なるＷｅｂサーバ間でも共有可能とすることを特徴とする装置。
【請求項８】
Ｗｅｂサーバに登録されたＷｅｂページを、ユーザ端末にインストールされたブラウザで閲覧するＷＷＷシステムにおいて、Ｗｅｂサーバ毎に登録された広告コンテンツを、Ｗｅｂサーバグループ内のすべてのユーザで共有可能とすることを特徴とする装置。
【請求項９】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループおよびメンバーのユーザ端末のプレゼンス情報を視覚的に分布表示もしくは度数分布表示することを特徴とする装置。
【請求項１０】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループもしくはメンバーのユーザ端末のプレゼンスを選択すると、ブラウザに表示されている現在閲覧中のＷｅｂページを、紹介先のＷｅｂページへと切り替えることを特徴とする装置。
【請求項１１】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグループ管理する過程を有する方法。
【請求項１２】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグルーピングし、グループメンバーで共有可能な情報空間を構築する過程を有する方法。
【請求項１３】
Ｗｅｂサーバに登録されたＷｅｂページを、ユーザ端末にインストールされたブラウザで閲覧するＷＷＷシステムにおいて、Ｗｅｂページにアクセスしているユーザ端末のプレゼンス情報を、アクセスしているＷｅｂページ毎、ＵＲＬ毎に管理する過程を有する方法。
【請求項１４】
Ｗｅｂサーバに登録されたＷｅｂページを、ユーザ端末にインストールされたブラウザで閲覧するＷＷＷシステムにおいて、同じＷｅｂページにアクセスしているユーザ端末のグループにおいて、グループのメンバーであるユーザ端末の総数を管理する過程を有する方法。
【請求項１５】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する過程を有する方法。
【請求項１６】
Ｗｅｂサーバに登録されたＷｅｂページを、ユーザ端末にインストールされたブラウザで閲覧するＷＷＷシステムにおいて、事前に友達登録しておいたユーザ端末が閲覧しているＷｅｂページのユーザグループ、ならびに、当該グループのメンバーであるユーザ端末のプレゼンスやメンバー総数を紹介する過程を有する方法。
【請求項１７】
Ｗｅｂサーバに登録されたＷｅｂページを、ユーザ端末にインストールされたブラウザで閲覧するＷＷＷシステムにおいて、Ｗｅｂサーバ毎に構築された情報共有空間、ならびに、Ｗｅｂサーバ毎に管理されているユーザグループ情報やプレゼンス情報を、異なるＷｅｂサーバ間でも共有可能とする過程を有する方法。
【請求項１８】
Ｗｅｂサーバに登録されたＷｅｂページを、ユーザ端末にインストールされたブラウザで閲覧するＷＷＷシステムにおいて、Ｗｅｂサーバ毎に登録された広告コンテンツを、Ｗｅｂサーバグループ内のすべてのユーザで共有可能とする過程を有する方法。
【請求項１９】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループおよびメンバーのユーザ端末のプレゼンス情報を視覚的に分布表示もしくは度数分布表示する過程を有する方法。
【請求項２０】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループもしくはメンバーのユーザ端末のプレゼンスを選択すると、ブラウザに表示されている現在閲覧中のＷｅｂページを、紹介先のＷｅｂページへと切り替える過程を有する方法。
【請求項２１】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグループ管理するステップをコンピュータに実行させる組み込みプログラム。
【請求項２２】
Ｗｅｂサーバに登録されたＷｅｂページを、ユーザ端末にインストールされたブラウザで閲覧するＷＷＷシステムにおいて、同じＷｅｂページにアクセスしているユーザ端末を同一グループのメンバーとしてグルーピングし、グループメンバーで共有可能な情報空間を構築するステップをコンピュータに実行させる組み込みプログラム。
【請求項２３】
Ｗｅｂサーバに登録されたＷｅｂページを、ユーザ端末にインストールされたブラウザで閲覧するＷＷＷシステムにおいて、Ｗｅｂページにアクセスしているユーザ端末のプレゼンス情報を、アクセスしているＷｅｂページ毎、ＵＲＬ毎に管理するステップをコンピュータに実行させる組み込みプログラム。
【請求項２４】
Ｗｅｂサーバに登録されたＷｅｂページを、ユーザ端末にインストールされたブラウザで閲覧するＷＷＷシステムにおいて、同じＷｅｂページにアクセスしているユーザ端末のグループにおいて、グループのメンバーであるユーザ端末の総数を管理するステップをコンピュータに実行させる組み込みプログラム。
【請求項２５】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介するステップをコンピュータに実行させる組み込みプログラム。
【請求項２６】
Ｗｅｂサーバに登録されたＷｅｂページを、ユーザ端末にインストールされたブラウザで閲覧するＷＷＷシステムにおいて、事前に友達登録しておいたユーザ端末が閲覧しているＷｅｂページのユーザグループ、ならびに、当該グループのメンバーであるユーザ端末のプレゼンスやメンバー総数を紹介するステップをコンピュータに実行させる組み込みプログラム。
【請求項２７】
Ｗｅｂサーバに登録されたＷｅｂページを、ユーザ端末にインストールされたブラウザで閲覧するＷＷＷシステムにおいて、Ｗｅｂサーバ毎に構築された情報共有空間、ならびに、Ｗｅｂサーバ毎に管理されているユーザグループ情報やプレゼンス情報を、異なるＷｅｂサーバ間でも共有可能とするステップをコンピュータに実行させる組み込みプログラム。
【請求項２８】
Ｗｅｂサーバに登録されたＷｅｂページを、ユーザ端末にインストールされたブラウザで閲覧するＷＷＷシステムにおいて、Ｗｅｂサーバ毎に登録された広告コンテンツを、Ｗｅｂサーバグループ内のすべてのユーザで共有可能とするステップをコンピュータに実行させる組み込みプログラム。
【請求項２９】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループおよびメンバーのユーザ端末のプレゼンス情報を視覚的に分布表示もしくは度数分布表示するステップをコンピュータに実行させる組み込みプログラム。
【請求項３０】
Ｗｅｂサーバに登録されたＷｅｂページを、ユーザ端末にインストールされたブラウザで閲覧するＷＷＷシステムにおいて、自身が現在閲覧しているＷｅｂページ以外の他のＷｅｂページを閲覧しているユーザ端末からなるユーザグループ、ならびに、当該グループのメンバーであるユーザ端末のプレゼンスやメンバー総数を紹介する装置において、紹介されたユーザグループもしくはメンバーのユーザ端末のプレゼンスを選択すると、ブラウザに表示されている現在閲覧中のＷｅｂページを、紹介先のＷｅｂページへと切り替えるステップをコンピュータに実行させる組み込みプログラム。
【発明の詳細な説明】
【技術分野】
【０００１】
本発明は、異なる複数のＷｅｂページの利用者間で、情報共有が容易になるソフトウエア・システムに関するものである。
【背景技術】
【０００２】
図１は、従来技術を説明するための、典型的なWWW（Ｗｅｂ、Ｗｅｂサービス）のシステム構成を示している。Ｗｅｂでは、情報提供者（情報発信者、サービス提供者）がＷｅｂサーバ上に、HTML等の記述言語で作成されたＷｅｂページを登録（アップロード）する。このＷｅｂページは、一般的に、掲示板サービス、チャットサービス、オークションサービス、電話会議サービス、新聞閲覧サービス、ゲームサービス、日記など、利用サービスや利用目的に応じて用意されるのが通常である。また、Ｗｅｂページは、ＵＲＬ（ＵＲＩ）と呼ばれる識別子により、その所在を一意に特定される。
【０００３】
一方、ユーザ（情報閲覧者、サービス利用者）は、端末（パソコンや携帯電話などのユーザ端末）にインストールされたブラウザ（閲覧ソフトウエア）を用いて、ＵＲＬで一意に識別されたＷｅｂページにアクセスする。アクセスされたＷｅｂページは、 
HTTPと呼ばれるプロトコルで端末に転送（ダウンロード）され、当該端末のブラウザに表示されることになる。また、端末側からＷｅｂページに対して、情報をアップロードする場合もある。
【０００４】
たとえば、掲示板サービスでは、各ユーザが、ＵＲＬを指定して、掲示板サービスとして実装されたＷｅｂページにアクセスする。つまり、当該Ｗｅｂページへの書き込み（アップロード）や当該Ｗｅｂページの参照（ダウンロード）を行うことにより、ユーザ間での情報共有（ユーザによって書き込まれた情報の共有）が可能になる。したがって、掲示板サービスは、ユーザ間の情報共有空間を、サービス提供者自身がＷｅｂページとして、明示的に実現・実装したものとして見なすことができる。
【０００５】
なお、Ｗｅｂでは、ホットリンクやトラックバック機構を用いて、Ｗｅｂページ間のリンク（当該Ｗｅｂページからのジャンプ先アドレスとなるジャンプ先ＵＲＬの定義）を設定することで、Ｗｅｂページ間での連携が可能である。
【特許文献１】特許第３５９０８８１
【非特許文献１】星合隆成編著  「ブローカレス理論とＳｉｏｎｅｔ」電気通信協会出版  ２００３年
【発明の開示】
【発明が解決しようとする課題】
【０００６】
解決しようとする問題点は、Ｗｅｂサーバ上にユーザ間の情報共有空間をつくるためには、たとえば、掲示板サービス用のＷｅｂページのようにサービス提供者自身が、Ｗｅｂページとして情報共有空間を個々に実現する必要があること、ならびに、Ｗｅｂページとして実現された情報共有空間同士の連携が困難であること、などの点である。
【課題を解決するための手段】
【０００７】
掲示板サービス用のＷｅｂページのように、サービス提供者自身が、Ｗｅｂページとして情報共有空間を個々に実現する必要がなく、さらには、Ｗｅｂページ間での情報共有空間の連携が可能となるように、Ｗｅｂページにアクセスしているユーザ（端末）のプレゼンス情報を、アクセスしているＷｅｂページ毎（ＵＲＬ毎）に管理していることを特徴とする。
【発明の効果】
【０００８】
図２は、本発明に係る概念図を示している。従来の技術では、Ｗｅｂページ提供者によって、ユーザ間の情報共有空間として実装されたＷｅｂページ（たとえば掲示板やチャットルームのようなＷｅｂページ）にアクセスすることにより、ユーザ間の情報共有が可能であった。つまり、Ｗｅｂページ提供者とユーザは縦の関係にあり、ユーザ間の直接的な横の繋がりは希薄であった。
【０００９】
これに対して、本発明に係る技術を用いることにより、同じＷｅｂページにアクセスしているユーザ（端末）をグループ化（グループのメンバーとする）することができる。つまり、ユーザがアクセスしているＵＲＬ単位にユーザをグループ化し、ユーザがアクセスしているＷｅｂページに連携・連動したユーザグループを構築することができる。つまり、グループメンバー間で共有可能な情報共有空間を構築することにより、メンバーでの横の繋がりを実現することができる。この考え方を拡張することにより、異なるＵＲＬであっても、ユーザがアクセスしているＷｅｂページの内容、タイトル、カテゴリー、キーワード（メタデータ）、合言葉、類似性などで、ユーザをグループ化することも可能である。このようなグループを構築することで、グループメンバー間での情報共有、すなわち、グループメンバー間での情報共有空間の構築を容易に行うことができる。
【００１０】
逆に、任意のユーザグループに参加している他メンバーのプレゼンス情報を用いて、自身が現在閲覧中のＷｅｂページを、他のメンバーが閲覧しているＷｅｂページへと切り替えることもでき、これにより、Ｗｅｂページとユーザグループでの情報共有空間との間で、双方向のコミュニケーションが可能になる。
【００１１】
ここでは、本発明に係る技術を具備した装置をＷｅｂＣｏｍ（クライアント部分をＷｅｂＣｏｍクライアント、サーバ部分をＷｅｂＣｏｍサーバ）と呼ぶ。
【００１２】
このようなＵＲＬ等に連動・連携したユーザ(端末）のグループ化機構の利用は、以下の効果を与える。
【００１３】
（１）アクセスしているＷｅｂページのＵＲＬ、内容やキーワードなどに連動したきめ細かなグループ化を実現できる。これにより、これまでの縦の関係（Ｗｅｂページとブラウザ（ユーザ）は縦の関係）に対して、ユーザ間同士の横の関係（メンバー同士の繋がり）をダイレクトに構築することができる。たとえば、Ｗｅｂページを見ながら、同じＷｅｂページの閲覧者同士で、リアルタイムに意見交換を行うことができる。また、同じＷｅｂページを閲覧しているメンバーに動画や広告などを配信することもできる。これにより、ターゲット広告を容易に実現することも可能になる。
【００１４】
（２）Ｗｅｂページ毎のリアルタイムな閲覧者数を把握することができる。たとえば、これまでのアクセスカウンタ（Ｗｅｂページにアクセスした人の累計）に対して、任意時点での閲覧者総数（オンライン総数）をリアルタイムに表示するアライブカウンタ、閲覧者のプレゼンス（閲覧者のハンドルネームやアバタなどオンライン中のメンバーの存在やプロフィールを示す情報）などアドホック的・インスタント的な情報を表示することができる。
【００１５】
（３）現在、閲覧しているＷｅｂページだけでなく、近傍のＷｅｂページを閲覧しているユーザグループのプレゼンス情報や、友達登録したユーザのプレゼンス情報等を管理することにより、周辺のＷｅｂページの閲覧者の閲覧状況、プレゼンス、ユーザの分布状況等を把握・提示し、これにより、ユーザを興味のあるＷｅｂページへとナビゲートする羅針盤機構を作成することができる。このように、Ｗｅｂページをキーとしたユーザグループへの参加、グループメンバーのプレゼンス情報をキーに該当するＷｅｂページを表示（閲覧中Ｗｅｂページの切り替え）といった、双方向のコミュニケーションが可能になる。
【００１６】
（４）Ｗｅｂリンク（ＷｅｂＣｏｍサーバ間の相互リンク）により、ＷｅｂＣｏｍサーバ同志を接続することにより、Ｗｅｂサーバ毎に構築された情報共有空間、ならびに、Ｗｅｂサーバ毎に管理されているユーザグループ情報やプレゼンス情報などを異なるＷｅｂサーバ間でも共有可能とする、すなわち、ＷｅｂＣｏｍサーバ間で、ユーザグループ情報（Ｗｅｂページ情報、閲覧者のプレゼンス情報、閲覧者総数）、情報共有空間、広告配信の対象となるメンバー情報を互いに共有することが可能になり、これにより、レンジスコープの領域、広告配信の対象となるユーザグループの対象を拡大することができる。このように、Ｗｅｂリンクにより、たとえば、チャットルームのような情報共有空間の連動・連携が可能になる。
【００１７】
（５）ユーザのグループ化が自動的に行われることから、グループメンバーのメンバーリストを活用したユーザ間の情報共有空間を容易に構築できる。また、情報共有空間を構築するに際して、従来のようなＷｅｂページの改造（Ｗｅｂページに掲示板機能やチャット機構を組み込むなど）、Ｗｅｂページ毎の個別開発を一切必要としない（無改造で良い）ため、情報共有空間の構築コスト・改造コスト、運営コストを削減することが可能となり、システム構築コストの低コスト化を達成することができる。
【００１８】
（６）これまで素通りしていたＷｅｂページへのアクセス者（閲覧者）をキャッチアップすることができる。その結果、Ｗｅｂページへのアクセス数、アクセス者数、滞在時間等を増やすことができる。これにより、従来、困難であったＷｅｂページの活性化を達成することができる。さらに、これまでのＷｅｂページ間の連携には、ホットリンクやトラックバックを用いることが一般的であったが、ＷｅｂＣｏｍ（Ｗｅｂページをキーとしたユーザグループへの参加、グループメンバーのプレゼンス情報をキーに該当するＷｅｂページを表示するといった双方向のコミュニケーション）を介した、Ｗｅｂページの新たな連携が可能になる。これは、従来のキーワードに基づくＷｅｂページの検索エンジンに対して、新しいタイプのＷｅｂページの検索エンジン（閲覧者のプレゼンスを介して、近傍のＷｅｂページを紹介する検索エンジン）として捉えることもできる。
【００１９】
（７）１０００万のユーザが閲覧するようなポータルサイト（トップダウン的なＷｅｂページ）の実現は容易ではない。しかしながら、ＷｅｂＣｏｍが組み込まれた１０００個のＷｅｂページ（Ｗｅｂサーバ）において、ＷｅｂＣｏｍ（ＷｅｂＣｏｍサーバ）間をＷｅｂリンクで相互接続することにより（ここで、個々のＷｅｂページの閲覧者が１万と仮定すると）、トータルで１０００万ユーザが利用する情報共有空間をボトムアップで構築することができる。つまり、ゼロから新たに１０００万のユーザを獲得するのではなく、すでに獲得している１万のユーザを相互に繋げる仕組みを提供することにより、１０００万ユーザが利用する情報共有空間をボトムアップで構築し、ポータルサイトに匹敵するＷｅｂページを構築することができる。ここで、たとえば、この情報共有空間を広告表示領域として活用することにより、１０００万人に配信可能な広告配信サービスやターゲット広告を容易に実現することができるのである。これは、インターネットにおける、新たな概念の広告配信ビジネスモデルを提案するものである。
【００２０】
（８）集めたコンピュータ資源（ユーザ端末）を用いて、グリッドコンピューティングを構築可能である。つまり、グループメンバーのコンピューティング資源を利用してグリッドサービスの実現を容易化させることで、これまでの典型的なビジネスモデルである、参加料・利用料課金（テラ銭）、キャラクタ・アイテム・アバタ・グッズ課金、広告収入以外の収益モデルとして、コンピューティング資源を提供してくれたことに対する貢献ポイントに基づくインセンティブモデルを実現可能にする。また、グリッド環境を用いて、リアルタイムなライブ広告を作成することも可能になる。
【００２１】
（９）コンテンツ識別子に基づいてインスタント・オンライン・リアルタイム・アドホック・アライブなコミュニティを構築し、そこで、プレゼンス情報（自身の存在情報）、メッセージ、アバタなどの配信・流通・共有・交換を図るため、これまでにない新たなコミュニケーションパラダイムを実現することが可能になる。
【００２２】
（１０）交換されるメッセージを口コミ情報として利用することにより、参照しているＷｅｂページのリアルタイムな評価・評判・信用を把握することができる。また、低コストで、柔軟性や自由度が高い個による情報発信が可能であり、寿命が短いコミュニティ管理に最適であることから、これまでのテレビ、ラジオ、駅や野球場の看板、インターネット動画配信サービス、ゲームコミュニティ、検索サービスでのバナー広告などとは性格が異なる新たな広告媒体、広告メディアとなりうる。
【発明を実施するための最良の形態】
【００２３】
汎用性、移植性、開発の容易性の観点から、Ｗｅｂサーバを改造して本発明に関わる技術を実装するのではなく、ＷｅｂサーバにＷｅｂＣｏｍを組み込む（アッドオン）することにより実現する。
【実施例】
【００２４】
図３は、本発明に係るソフトウエアシステムの構成部品ならびにシステムの全体構成を示している。ここでは、ユーザがアクセスしているＷｅｂページのＵＲＬ単位にユーザをグループ化、つまり、ユーザが閲覧しているＷｅｂページに連携・連動したユーザグループを構築し、グループメンバー間で情報を共有することを実現するためのソフトウエア部品（Ｗｅｂ 
ＣｏｍｍｕｎｉｃａｔｏｒもしくはＷｅｂＣｏｍと呼ぶ）、ならびにシステムの全体構成について説明する。
【００２５】
ＷｅｂＣｏｍは、Ｗｅｂサーバ側にインストールされるソフトウエアモジュール（Ｗｅｂサーバ側ＷｅｂＣｏｍ、もしくはＷｅｂＣｏｍサーバと呼ぶ）と端末側にインストールされるソフトウエアモジュール（端末側ＷｅｂＣｏｍもしくはＷｅｂＣｏｍクライアントと呼ぶ）に分けられる。
【００２６】
端末側ＷｅｂＣｏｍは、ＵＲＬ収集・通知部、共有情報送受信部、情報表示部・情報入力部・情報保持部等の構成部品から構成される。一方、Ｗｅｂサーバ側ＷｅｂＣｏｍは、ＵＲＬのリスト、閲覧しているユーザのプレゼンス、ユーザ総数などのグルーピング情報やそれらの解析・分析を行うプレゼンス情報管理部、ユーザとのの共有情報の送受信を司る共有情報送受信部、チャットや広告などの共有情報を管理する共有情報管理部等の構成部品から構成される。
【００２７】
ＵＲＬ収集・通知部は、ブラウザが現在アクセスしている（閲覧している）ＷｅｂページのＵＲＬを収集し、 
収集したＵＲＬ、端末識別子（IPアドレスなど）、ブラウザ識別子などを、ＷｅｂＣｏｍサーバのプレゼンス情報管理部へと転送する。ここで、ブラウザ識別子は、一つの端末において、複数のブラウザが同時起動された場合など、ブラウザ単位でのグルーピングの制御が必要となる場合に用いられる。この他にも、ＵＲＬ収集・通知部は、ユーザプロフィールとして、ユーザＩＤ、ハンドルネーム、アバタ、アイテムなどの各種ユーザ情報をプレゼンス情報管理部へ転送・登録することができる。
【００２８】
プレゼンス情報管理部では、登録されたＵＲＬ、端末識別子、ブラウザ識別子、ユーザＩＤ、ハンドルネーム、アバタ、アイテム、キャラクタ、プロフィールなどの各種情報を管理、保存する。ＵＲＬ収集・通知部は、ブラウザが現在アクセスしている（閲覧している）Ｗｅｂページが置かれているＷｅｂサーバの、ＷｅｂＣｏｍサーバへと情報を送信するのが基本であるが、プレゼンス情報管理等を専門に行うＷｅｂＣｏｍサーバ（インデックスサーバ）に転送することも可能である。すなわち、第三のＷｅｂサーバに、ＷｅｂＣｏｍサーバをインストールし、ここで情報の一元管理を行うことも可能である。
【００２９】
プレゼンス情報管理部では、ユーザのグルーピングのために、種々の情報の加工を行う。たとえば、ＵＲＬ（Ｗｅｂページ）毎の閲覧者リストを作成する。これにより、同じＷｅｂページを閲覧しているメンバーの総人数（ＵＲＬ毎のオンライン者数）、同じＷｅｂページを閲覧している他メンバーのプレゼンス情報（個々人の存在を示すプロファイル情報）、さらには、他のＷｅｂページを閲覧している他メンバーのプレゼンス情報など、アドホック的なグルーピング情報をリアルタイムに作成することができる。
【００３０】
共有情報送受信部（サーバ側）は、プレゼンス情報管理部が保有するこれらのグルーピング情報を、共有情報送受信部（端末側）に対して定期的・もしくは必要に応じて送信する。これらの情報を受信した共有情報送受信部（端末側）は、操作パネル部（情報表示部＆情報入力部）に対して、情報の表示を依頼する。これにより、操作パネル部（情報表示部＆情報入力部）は、Ｗｅｂページを閲覧しているメンバーの総人数（当該ＵＲＬのオンライン者数）を表示するアライブカウンタや同じＷｅｂページを閲覧している他メンバーのプレゼンス情報を表示すること、等が可能になる。
【００３１】
同様に、共有情報送受信部（サーバ側）は、共有情報管理部（チャットなど）が保有する情報を、共有情報送受信部（端末側）に対して定期的・もしくは必要に応じて送信することにより、同じＷｅｂページを閲覧しているメンバー間での情報共有空間を実現できる。
【００３２】
具体的には、メンバーである任意のユーザから、メンバーに対して、チャットなどの情報共有を依頼したい場合には、操作パネル部（情報表示部＆情報入力部）に対して情報をインプットする。インプットされた情報は、共有情報送受信部（端末側）を介して、ブラウザが現在アクセスしている（閲覧している）Ｗｅｂページが置かれているＷｅｂサーバの共有情報管理部に対して送信される。共有情報送受信部（サーバ側）は、共有情報管理部が受信した情報を、プレゼンス情報管理部が保有するメンバーリストに基づいて、同一グループの他のメンバーに対して送信する。具体的には、他メンバーの共有情報送受信部（端末側）に対して、情報を送信する。共有情報送受信部（端末側）は、操作パネル部（情報表示部＆情報入力部）に対して、情報の表示を依頼する。操作パネル部は情報を表示するとともに、必要な情報を保存・保持する。これにより、同じＷｅｂページを閲覧しているメンバー間での情報共有空間を実現できる。なお、インプット情報として、映像、音声、文字、ストリームデータなど様々な形式の情報を扱うことにより、掲示板、チャット、音声チャット、映像配信、広告配信など、様々な情報共有空間を実現できる。
【００３３】
図４は、本発明に係る、グルーピング情報（プレゼンス情報）の解析結果（一部）の例を示している。この例では、共有情報送受信部（サーバ側）は、端末A（端末Aの共有情報送受信部）に対して、メンバーの総人数が２であること、当該グループのメンバー（同じＵＲＬのＷｅｂページを参照している他端末）のプレゼンス情報として、ユーザ端末Bのプレゼンス情報（端末B識別子、端末Bのアバタやハンドルネームなど）を送信する。同様に、端末Ｂに対しては、端末Ａのプレゼンス情報として、端末Ａ識別子、端末Ａのアバタやハンドルネームが通知される。別のグループである端末Ｃおよび端末Ｄに対しても同様の処理が、それぞれ行われる。
【００３４】
これにより、たとえば、端末Aは、端末Bのアバタやハンドルネーム等を指定して（端末Bの端末識別子を用いて）、インスタントメッセージ（IM）やIP電話などにより、端末Bのユーザと直接通信を行うことが可能になる。
【００３５】
なお、チャットなどの情報共有空間もこのグルーピング解析結果を用いて、情報の共有対象となるグループのメンバーを認識・特定可能であり、特定されたメンバーに対して、共有情報送受信部が、共有情報管理部が管理するチャット情報を同報することから、情報共有空間のシステムとしての実現が達成される。なお、同じグループのメンバーであるユーザ端末同士が、互いにリンクを確立するハイブリッド型P2Pネットワークを確立することにより、ＷｅｂＣｏｍサーバを介さなくても、ユーザ端末によりチャット情報などを共有・交換する情報共有空間を構築することが可能である。
【００３６】
図５は、本発明に係る、レンジスコープの内部構造を示している。レンジスコープとは、現在閲覧しているＷｅｂページ以外の、他のＷｅｂページ（ＵＲＬ）や他のＷｅｂページを閲覧しているユーザ端末のプレゼンスやユーザグループを提案する機能である。すなわち、自身が所属しているグループ以外の、他のユーザグループおよび他ユーザグループに所属しているメンバーのプレゼンスを紹介・提案するものである。
【００３７】
たとえば、図中のプレゼンス情報管理部は、Ｗｅｂページα（ＵＲＬは/Ｚ/α）に対して、端末Ａと端末Ｂがアクセス中であることを管理している。同様に、Ｗｅｂページα/Ｘ（ＵＲＬは/Ｚ/α/X）に対して端末Cと端末Dが、Ｗｅｂページβ/A（ＵＲＬは/Ｚ/β/A）に対して端末Eがアクセス中であることを示している。このとき、たとえば、ＷｅｂページＺ/αを閲覧中のユーザグループＺ/αのメンバーである端末Aや端末Bに対して、他のユーザグループとして、Ｗｅｂページα/Ｘ（ＵＲＬは/Ｚ/α/X）を閲覧中であるユーザ端末のユーザグループα/Ｘや、そのメンバーである端末C、端末Dのプレゼンスを通知する機構である。これにより、端末Aや端末Bは、閲覧中のＷｅｂページ以外の、他のＷｅｂページや、他のＷｅｂページを閲覧中のユーザ端末の存在を知ることができる。
【００３８】
以下に、端末Aを例に、レンジスコープの処理フローを示す。まず、端末AのＷｅｂＣｏｍクライアントの操作パネル部（情報表示部＆情報入力部）に対してスコープのレンジをインプットする。たとえば、現時点のレンジ値が１であるものとして、ここではレンジ値２が指定されたものとする。これは、現時点より、ディレクトリ階層が１段深いＵＲＬをスコープの対象とすることを意味するものと仮定する。
【００３９】
次に、共有情報送受信部（端末側）は、ブラウザが現在アクセスしている（閲覧している）Ｗｅｂページが置かれているＷｅｂサーバのプレゼンス情報管理部に対して当該情報を送信する。プレゼンス情報管理部は、端末AのＵＲＬが/Ｚ/αであり、レンジ値が２であることから、提案するＵＲＬの候補として、/Ｚ/α/Xとそのメンバーである端末Cと端末Dのプレゼンスを提案することを選択・決定し、それらの情報を管理する(図６)。その結果、共有情報送受信部（サーバ側）は、選択されたこれらのプレゼンス情報を、端末Aの共有情報送受信部（端末側）に、定期的もしくは必要に応じて送信する。共有情報送受信部（端末側）は、操作パネル部（情報表示部＆情報入力部）に対して、情報の表示を依頼する。これにより、操作パネル部（情報表示部＆情報入力部）は、現在閲覧しているＷｅｂページの近傍のＷｅｂページのＵＲＬと、そのグループメンバーやメンバー総数などを提案・表示することが可能になる。
【００４０】
これにより、たとえば、端末Aは、端末Cのアバタやハンドルネーム等を指定して（端末Cの端末識別子を用いて）、インスタントメッセージ（IM）やIP電話などにより、端末Cと直接通信を行うことが可能になる。また、提案されたＵＲＬを選択することにより、現在閲覧中のＷｅｂページから、当該ＵＲＬのＷｅｂページへとブラウザの表示を切り替えることができる。
【００４１】
さらに、提案されたプレゼンス情報（たとえば、端末C）を友達登録すると、常に、端末Cのプレゼンス情報（端末Cが閲覧中のＵＲＬなど）が端末Aに対して提示される。図６に示すように、ＷｅｂＣｏｍサーバでは、友達登録されたユーザ（端末）のプレゼンス情報や友達登録されたユーザ端末が現在閲覧中のＷｅｂページ情報などを管理するとともに、その最新情報を、友達登録を行った端末（ＷｅｂＣｏｍクライアント）に対して通知する。友達登録においても、たとえば、端末Aは、端末Cのアバタやハンドルネーム等を指定して（端末Cの端末識別子を用いて）、インスタントメッセージ（IM）や 
IP電話などにより、端末Cと直接通信を行うことが可能になる。また、通知された友達が閲覧中のＵＲＬ情報を選択することにより、当該ＵＲＬのＷｅｂページへと、端末Aのブラウザの表示を切り替えることができる。
【００４２】
図６は、本発明に係る、Ｗｅｂリンクの内部構造を、図７は、ＷｅｂリンクによるＷｅｂＣｏｍサーバ間の情報共有方法について示している。Ｗｅｂリンクは、ＷｅｂＣｏｍサーバのグルーピングを行うための機構である。ここで、これまでに述べてきたユーザ（端末）のグルーピングとは異なることに注意を要する。ここでは、ユーザグループと区別して、ＷｅｂリンクによってグルーピングされるＷｅｂＣｏｍサーバのグループを、Ｗｅｂリンクグループ、もしくは、ＷｅｂＣｏｍサーバグループと呼ぶ。
【００４３】
図６の図例は、ＷｅｂＣｏｍサーバ１のグループメンバーとして、ＷｅｂＣｏｍサーバ３、ＷｅｂＣｏｍサーバ５が登録されていることを示している。すなわち、これは、ＷｅｂＣｏｍサーバ１、ＷｅｂＣｏｍサーバ３、ＷｅｂＣｏｍサーバ５が同一のグループであることを示している。同様に、ＷｅｂＣｏｍサーバ３のＷｅｂリンクのリストには、ＷｅｂＣｏｍサーバ１とＷｅｂＣｏｍサーバ５が、ＷｅｂＣｏｍサーバ５のＷｅｂリンクのリストには、ＷｅｂＣｏｍサーバ１とＷｅｂＣｏｍサーバ３が登録されていることになる。
【００４４】
このとき、ＷｅｂＣｏｍサーバ間送受信部は、Ｗｅｂリンクのリストに登録されているＷｅｂＣｏｍサーバのＷｅｂＣｏｍサーバ間送受信部との間で、定期的にもしくは必要に応じて、情報の交換や共有を行う。
【００４５】
たとえば、図７に示すように、ＷｅｂＣｏｍサーバ間送受信部は、ＵＲＬリスト、メンバーであるユーザ端末のプレゼンス情報などを相互に交換する。その結果、ＷｅｂＣｏｍサーバ１は、ＵＲＬαのＷｅｂページ情報および当該Ｗｅｂページを閲覧中のユーザであるユーザXとユーザYのプレゼンスを入手することが可能になる。同様に、ＷｅｂＣｏｍサーバ３は、ＵＲＬ１とＵＲＬ２およびこれらのＷｅｂページを閲覧中のユーザのプレゼンスを入手することが可能になる。このように、ＷｅｂリンクグループのグループメンバーであるＷｅｂＣｏｍサーバ間で種々の情報を共有可能である。これにより、レンジスコープの対象となる提案対象のＵＲＬ候補（紹介するＷｅｂページの候補）の範囲を拡大することができる。具体的には、図例において、ＷｅｂＣｏｍサーバ１は、ユーザAに対して、レンジスコープの対象となるＷｅｂページとしてＵＲＬαを提案することが可能になる。同様に、ＷｅｂＣｏｍサーバ３は、ユーザXに対して、レンジスコープの対象となるＷｅｂページとしてＵＲＬ１を提案することが可能になる。
【００４６】
さらに、Ｗｅｂリンク機構を用いることにより、Ｗｅｂリンクグループ内のメンバーであるＷｅｂＣｏｍサーバ間で共有情報空間を共有することも可能である。たとえば、図中のように、共有情報管理部が広告用領域を共有することにより、ＷｅｂＣｏｍサーバ１とＷｅｂＣｏｍサーバ３で同一の広告配信が可能になる。すなわち、ＷｅｂリンクグループのメンバーであるＷｅｂＣｏｍサーバ１およびＷｅｂＣｏｍサーバ３にアクセスしている全ユーザに、共通の広告を配信することができるようになる。一方、Ｗｅｂリンクが設定されていないと、単一ＷｅｂＣｏｍサーバ（たとえば、ＷｅｂＣｏｍサーバ１）のユーザのみに配信することになる。
【００４７】
図８は、本発明に係る、ＷｅｂＣｏｍクライアントの情報表示部＆情報入力部の構成を、図９は、特に、表示部の中で、ＵＲＬ毎（Ｗｅｂページ毎）の閲覧者の分布をイメージ表示する羅針盤モードについて示している。
【００４８】
図８に例図したプレゼンス情報は、自身（ユーザA）が現在閲覧しているＷｅｂページのＵＲＬが、ＵＲＬ１であること、すなわち、ユーザAがＵＲＬ1のユーザグループに属していることを示している。また、同じＷｅｂページを閲覧中のユーザ、すなわち、同じユーザグループのメンバーであるユーザBのプレゼンスやメンバー総数を表示している。表示されたプレゼンス情報のユーザ名（ユーザB）を指定してインスタントメッセージのような２者間直接通信が可能である。
【００４９】
同じユーザグループのメンバー間（ＵＲＬ1を閲覧中のメンバー間）の情報共有空間として、チャットなどの共有情報を表示する領域が用意され、そこにチャット情報などが表示される。
【００５０】
同じユーザグループのメンバー間（ＵＲＬ1を閲覧中のメンバー間）の情報共有空間として、広告などの共有情報を表示する領域として広告表示領域が用意されている。  これには、ＵＲＬ単位（ターゲット単位）、単一ＷｅｂＣｏｍサーバ内の全ユーザ単位、Ｗｅｂリンクグループ内の全ユーザ、全ＵＲＬの全ユーザなどの各ドメインに対して、それぞれ配信された広告が表示される。特にＵＲＬ１に対する広告領域は、自身が現在閲覧中のＵＲＬ1のＷｅｂページを、閲覧しているすべてのメンバーに対して広告が配布されるターゲット広告用に利用される。また、表示された広告をクリックすると、閲覧中Ｗｅｂページ（ＵＲＬ1)を広告のＷｅｂページへと切り替える（ホットリンクする）ことができる。
【００５１】
レンジスコープのコントローラを用いることにより、レンジ値を設定する。これにより、提案されるＷｅｂページの近傍度合いを指定・調整する。たとえば、図中では、現在閲覧中Ｗｅｂページ（ＵＲＬ1）の近傍のＷｅｂページとして、ＵＲＬ（例：ＵＲＬ２）とこれを閲覧中のユーザのプレゼンス情報などが表示されている。このとき、表示されたプレゼンス情報のユーザ名（ユーザX、ユーザY）を指定してインスタントメッセージのような２者間直接通信が可能である。また、たとえば、ユーザXをクリックすると、ユーザAが閲覧中であるＷｅｂページ（ＵＲＬ1)を、ＵＲＬ２のＷｅｂページへと切り替える（リンクバックする）、すなわち、ユーザＡのブラウザの表示を切り替えることができる。このような、Ｗｅｂページをキーとしたユーザグループへの参加・提案、グループメンバーのプレゼンス情報をキーに該当するＷｅｂページを表示するといった双方向のコミュニケーションにより、従来のホットリンクやトラックバックだけでなく、Ｗｅｂページと情報共用空間の新たな連携が可能になる。これは、閲覧者のプレゼンスを介して、近傍のＷｅｂページを紹介する検索エンジンとして捉えることもできる。
【００５２】
さらに、プレゼンス情報（ユーザ名）を選択して友達登録ができる。このとき、友達登録を行ったユーザのプレゼンス情報が表示される。登録されたプレゼンス情報のユーザ名（ユーザα）を指定してインスタントメッセージのような２者間直接通信が可能である。また、ユーザαをクリックすると、ユーザAが閲覧中のＷｅｂページ（ＵＲＬ1)をユーザαが閲覧中のＷｅｂページへと切り替える（リンクバックする）ことができる。
【００５３】
なお、近傍のＵＲＬ（Ｗｅｂページ）に対する、ユーザのアクセス状況を、テキストとしてリスト表示するだけでなく、図９のようなユーザの分布マップ（羅針盤モード）として表示することが可能である。
【００５４】
図１０は、本発明に係る、ＷｅｂＣｏｍサーバグループを実現するに際しての、リンクトポロジー構成を示している。
【００５５】
ＷｅｂＣｏｍサーバグループを実現する方法としては、図６で示したように、Ｗｅｂリンクの対象となるＷｅｂＣｏｍサーバをリスト管理するとともに、Ｗｅｂリンクのリストに登録されているＷｅｂＣｏｍサーバに対して、ブロードキャストで情報交換する方法や、図１０に示すように、Ｗｅｂリンクのリストに登録されているＷｅｂＣｏｍサーバとネットワークを構築する方法がある。
【００５６】
後者では、メンバーである他のＷｅｂＣｏｍサーバに対して、ブロードキャストで情報を伝達することにより、ＷｅｂＣｏｍサーバ間で情報を共有するのではなく、ネットワークとして相互接続されたＷｅｂＣｏｍサーバで情報を伝播することにより、情報の伝達・共有を行う。典型的な例として、ＷｅｂＣｏｍサーバをピアとして見なすことにより、ＷｅｂＣｏｍサーバをP2Pネットワークとして構築する方法が考えられる。この場合には、ＷｅｂリンクがP2Pのピア間コネクションとして実現されることになる。
【００５７】
このネットワークアーキテクチャは、地域情報化・地域活性化の情報化手段として有効である。たとえば、図１１に示すように、地域情報化メディアであるコミュニティFM局をピアとしてみなし、コミュニティFM局をP2Pネットワーク（自律分散ネットワーク）として構築することにより、柔軟な地域情報ネットワークをボトムアップで構築することが可能になる。つまり、コミュニティFM局にＷｅｂＣｏｍサーバを組み込むことにより、地域における情報共有空間をブローカレスで、フレキシブルに、動的に、低コストで構築することが可能になる。これにより、地域密着の広告やロングテール型・リアル型の広告をグローバルに配信することが可能になる。
【図面の簡単な説明】
【００５８】
【図１】従来技術に係る、WWWのシステム構成の説明図である。
【図２】本発明に係る、概念図である。
【図３】本発明に係る、ＷｅｂＣｏｍのソフトウエアモジュールならびにシステムの全体構成の説明図である 。
【図４】本発明に係る、グルーピング情報の解析結果の一例の説明図である。
【図５】本発明に係る、レンジスコープの構造の説明図である。
【図６】本発明に係る、Ｗｅｂリンクの構造およびＷｅｂＣｏｍの内部構造の説明図である。
【図７】本発明に係る、Ｗｅｂリンクによる情報交換・共有方法の説明図である。
【図８】本発明に係る、ＷｅｂＣｏｍクライアントの情報表示部＆入力部の説明図である。
【図９】本発明に係る、レンジスコープによるプレゼンス情報の表示（分布表示：羅針盤モード）の説明図である。
【図１０】本発明に係る、Ｗｅｂリンクグループのトポロジー構造の説明図である。
【図１１】本発明に係る、コミュニティＦＭへの適用方法の説明図である。
【符号の説明】
【００５９】
図１の符号の説明
１  Ｗｅｂサーバ
２  掲示板サービスのためのＷｅｂページ
３  チャットサービスのためのＷｅｂページ
４  オークションサービスのためのＷｅｂページ
５  ユーザ端末
６  ブラウザ
【００６０】
図２の符号の説明
１  Ｗｅｂサーバ
２  Ｗｅｂページ
３  ユーザ端末
４  ブラウザ
５  ユーザグループ（端末のグループ）
【００６１】
図３の符号の説明
１  Ｗｅｂサーバ
２  Ｗｅｂページ
３  Ｗｅｂページ
４  Ｗｅｂサーバ側のＷｅｂＣｏｍ（ＷｅｂＣｏｍサーバ)
４-ａ  プレゼンス情報管理部（ＵＲＬリスト、グループ・メンバー情報、およびグルーピング情報解析部）
４-ｂ  共有情報送受信部（サーバ側）
４-ｃ  共有情報管理部（チャット情報、広告情報などを個々に管理）
５  ユーザ端末
６  ブラウザ
７  端末側のＷｅｂＣｏｍ（ＷｅｂＣｏｍクライアント)
７-ａ  ＵＲＬ収集・通知部
７-ｂ  共有情報送受信部（端末側）
７-ｃ  操作パネル部（情報表示部＆情報入力部）および情報保持部
【００６２】
図４の符号の説明
１  Ｗｅｂサーバ  （ドメイン名“Z”）
２  Ｗｅｂページ  （http://z/α/)
３  Ｗｅｂページ  (http://Z/β/γ/)
４  Ｗｅｂサーバ側のＷｅｂＣｏｍ（Ｗｅｂ 
Ｃｏｍｍｕｎｉｃａｔｏｒ)
４-ａ  プレゼンス情報管理部 
４-ａ-１  グルーピング情報の解析結果の一例（一部）
４-ｂ  共有情報送受信部（サーバ側）
５  ユーザ端末
６  ブラウザ
７  ユーザグループ（端末グループ）
【００６３】
図５の符号の説明
１  Ｗｅｂサーバ  （ドメイン名“Z”）
２-１  Ｗｅｂページ  （http://Z/α/)
２-２ 
Ｗｅｂページ(http://Z/α/X)
３-１  Ｗｅｂページ  (http://Z/β/)
３-２ Ｗｅｂページ 
(http://Z/β/A)
４  Ｗｅｂサーバ側のＷｅｂＣｏｍ（Ｗｅｂ Ｃｏｍｍｕｎｉｃａｔｏｒ)
４-ａ  プレゼンス情報管理部 
４-ａ-１  グルーピング情報の解析結果の一例（一部）
４-ｂ  共有情報送受信部（サーバ側）
５  ユーザ端末
６  ブラウザ
７  ユーザグループ（端末グループ）
【００６４】
図６の符号の説明
１  ＷｅｂＣｏｍサーバ  （ＷｅｂＣｏｍサーバ１）
２  プレゼンス情報管理部
３  共有情報管理部（チャット用領域）
４  共有情報管理部（広告用領域）
５  ユーザ毎のレンジスコープ管理部（レンジ値とそれに合致するＵＲＬ候補を管理）
６  友達情報管理部
７  Ｗｅｂリンク管理部
【００６５】
図７の符号の説明
１  ＷｅｂＣｏｍサーバ
２  プレゼンス情報管理部
３  共有情報管理部（広告用領域）
４  ユーザ毎のレンジスコープ管理部（レンジ値とそれに合致するＵＲＬ候補を管理）
５  Ｗｅｂリンク管理部
【００６６】
図８の符号の説明
１  ＷｅｂＣｏｍクライアントの情報表示＆入力部
２  プレゼンス情報（ユーザグループのプレゼンス情報）
３  情報共有空間（チャット領域、チャット用の共有情報の表示部）
４  チャット文字入力領域
５  情報共有空間（広告表示領域、広告用の共有情報の表示部）
６  レンジスコープにより提案されるＵＲＬとそのプレゼンス情報の表示領域（レンジ値とそれに合致するＵＲＬ候補を表示）
７  レンジスコープのコントローラによるレンジ値の指定
８  登録された友達の名前とそのプレゼンス情報を表示
９  ユーザのプロフィール入力部（ハンドルネームやアバタの登録など）
【００６７】
図９の符号の説明
１  ユーザ
【００６８】
図１０の符号の説明
１  ＷｅｂＣｏｍサーバ
２  Ｗｅｂリンク
３  ＷｅｂＣｏｍサーバグループ（Ｗｅｂリンクグループ）
４  ユーザ（端末）
【００６９】
図１１の符号の説明
１  コミュニティ放送局
２  ピア
３  Ｗｅｂリンク
【図１】
2009075912.tif 000003
【図２】
2009075912.tif 000004
【図３】
2009075912.tif 000005
【図４】
2009075912.tif 000006
【図５】
2009075912.tif 000007
【図６】
2009075912.tif 000008
【図７】
2009075912.tif 000009
【図８】
2009075912.tif 000010
【図９】
2009075912.tif 000011
【図１０】
2009075912.tif 000012
【図１１】
2009075912.tif 000013